(57)【要約】【課題】薄型化を図りつつ、新たに部品点数を増やさずに光束の減少を防ぐことができること。【解決手段】照明器具１は、平面ランプ２を点灯させる点灯装置３と、平面ランプ２を支持する器具本体４とを備える。平面ランプ２は、放電路２１の両端部に電極（図示せず）を有して放電路２１が電極を有する両端部の間で同一の平面内にて湾曲して近接するように形成される。平面ランプ２の最冷点Ｑは放電路２１の一端部近傍に設けられる。器具本体４は、上下方向に沿って平面ランプ２の中心部Ｘと対向する位置に外部電源と接続された電源線が入線する挿通口６が貫設され、挿通口６を除く平面ランプ２の投影面内で点灯装置３を保持する。点灯装置３を構成する回路部品のうち、ランプ電流の増大に伴って発熱量が増加する回路部品たる発熱部品１５は、上下方向から見たときに中心部Ｘを挟んで放電路２１の前記一端部が配設される位置とは反対側に配置される。【選択図】図１
2011048943.tif 000002
【特許請求の範囲】
【請求項１】
放電路の両端部に電極を有して当該放電路が電極を有する両端部の間で同一の平面内に
て湾曲して近接するように形成された平面ランプを点灯させる点灯装置と、平面ランプを
支持するとともに前記平面の法線方向に沿って平面ランプの中心部と対向する位置に外部
電源と接続された電源線が入線する挿通口が貫設され、前記挿通口を除く平面ランプの投
影面内で点灯装置を保持する器具本体と、を備え、
平面ランプの最冷点は、放電路の一端部近傍に設けられ、
点灯装置を構成する回路部品のうち、点灯装置から平面ランプに供給するランプ電流の
増大に伴って発熱量が増加する回路部品は、前記平面の法線方向から見たときに平面ラン
プの中心部を挟んで放電路の前記一端部が配設される位置とは反対側に配置されることを
特徴とする照明器具。
【請求項２】
放電路の両端部に有する前記電極と点灯装置の出力端子とを各々電気的に接続する一対
のランプ線の長さ寸法は、互いに等しく設定していることを特徴とする請求項１記載の照
明器具。
【発明の詳細な説明】
【技術分野】
【０００１】
本発明は、照明器具に関するものである。
【背景技術】
【０００２】
従来より、省エネルギー、省スペース化、発光効率の向上等を目的とした種々の蛍光ラ
ンプが提供されている。中でも、環状ランプとして、一重環形の蛍光ランプよりもその最
大外周径を小さくし、環状の放電路の内周側空間にもガラス管を配設して、従来よりも小
型で且つ発光効率の向上を目的とした蛍光ランプがある（例えば、特許文献１参照）。こ
の蛍光ランプは、放電路の両端部に電極を有して当該放電路が電極を有する両端部（口金
）の間で同一の平面内にて湾曲して近接するように形成される平面ランプである。
【０００３】
平面ランプは、一般に店舗・住宅等の天井に設置され、密閉型の照明器具や下面開放型
の照明器具に取付けられる。そして、この様な照明器具は、平面ランプを点灯させる点灯
装置と、平面ランプを支持して点灯装置を保持する器具本体とを備える。
【０００４】
また、上述の様な平面ランプは、一般に放電路の両端部間の中心部近傍に最冷点が設け
られている。但し、最冷点が放電路の一端部近傍に設けられた平面ランプも提供されてい
る（特許文献２参照）。ここで、最冷点とは平面ランプが点灯中に最も温度が低くなる場
所であり、一般的に最冷点の温度が３０℃〜４０℃程度のとき最も高い光束値が得られる
ように設定されている。従って、実際に平面ランプが照明器具に装着されて点灯している
ときも最冷点の温度を３０℃〜４０℃程度に抑制することが望ましく、４０℃を超過する
ほど平面ランプの光束は減少する。特に、密閉型の照明器具の場合、下面開放型の照明器
具に比べて点灯中に発生する熱が器具本体内にこもり易く、最冷点の温度も上昇し易い。
これに対して、平面ランプの最冷点の温度上昇を抑制するための放熱部材を有した照明器
具が従来より種々提供されている（例えば、特許文献３）。尚、平面ランプではなく所謂
、直管型の蛍光ランプではあるが、前記蛍光ランプの最冷点から点灯装置を離れて配置さ
せることで最冷点の温度上昇を抑制する照明器具も提供されている（特許文献４参照）。
【０００５】
ところで、従来の一重環形の蛍光ランプの場合、環状の放電路の内周側空間に点灯装置
を配置することで照明器具全体の薄型化を図っていたのに対して、上述する平面ランプの
場合、そのような空間が存在しない。従って、前記平面の法線方向に沿った平面ランプの
投影面内に点灯装置を配置させつつ、点灯装置の薄型化等を図ることが望ましい。
【０００６】
そして、平面ランプの投影面内に点灯装置を配置させた照明器具の一例として、図６に
示すような照明器具１がある。ここで、図６は前記平面の法線方向から見たときの照明器
具１の平面透視図である。そして、以下では図６の正面を上面と規定して、紙面に垂直な
方向を上下方向として説明する。
【０００７】
照明器具１は、平面ランプ２を点灯させる点灯装置３と、平面ランプ２を支持する器具
本体４とを備える。平面ランプ２は、放電路２１の両端部に電極（図示せず）を有して放
電路２１が電極を有する両端部の間で同一の平面内にて螺旋状に湾曲して近接するように
形成される。点灯装置３を構成する回路部品は、扁平な略半リング形状に形成されるプリ
ント配線板３１に実装される。
【０００８】
器具本体４は、図６に示すように、全体として下面が開口する略扁平な有底円筒状に形
成された筐体４ａと、下面に反射面を有して筐体４ａの前記開口を塞ぐようにして配設さ
れた皿形状の反射体（図示せず）とから構成される。点灯装置３は、筐体４ａと前記反射
体との間に配設されており、前記反射体の下面にはソケット（図示せず）が配設される。
前記ソケットは、一対のランプ線５ａ，５ｂを通じて各々点灯装置３の出力端子３２ａ，
３２ｂと電気的に接続される。一方、平面ランプ２の口金２２ａ，２２ｂには、放電路２
１の両端部にある前記電極と導通するランプピン２３ａ，２３ｂが外部に向かって突設さ
れる。そして、平面ランプ２の両端部の口金２２ａ，２２ｂが各々前記ソケットに接続さ
れて、ランプピン２３ａ，２３ｂとランプ線５ａ，５ｂとが導通して、前記電極と点灯装
置３の出力端子３２ａ，３２ｂとが電気的に接続されるとともに、平面ランプ２が器具本
体４に支持される。
【０００９】
ここで筐体４ａ開口内の上面は、図６に示すように、上下方向に沿って平面ランプ２の
中心部Ｘと対向する位置に挿通口６が貫設され、更に挿通口６の上方にはシーリングキャ
ップ（図示せず）が配設される。シーリングキャップに接続される２芯の電源ケーブル（
図示せず）は、挿通口６を通じて入線されて点灯装置３の入力端子に接続される。そして
、例えば天井面に設置されたシーリングローゼット（図示せず）にシーリングキャップを
接続することで、点灯装置３の入力端子が外部電源（商用電源）と電気的に接続されると
ともに、器具本体４が天井面に機械的に接続される。但し、点灯装置３のプリント配線板
３１は、図６に示すように、挿通口６を塞がないように配設される。
【００１０】
また、他の一例として、図７に示すような照明器具１もある。この照明器具１のプリン
ト配線板３１は、図６の扁平な略半リング状に形成されたプリント配線板３１とは異なり
、扁平なリング形状に形成されている。このように、点灯装置３を扁平な半リング状に形
成したり、扁平なリング状に形成したりして上下方向から見たときの面積を大きくし、そ
の分だけより点灯装置３の厚みを薄くすることができ、例えば矩形箱型の点灯装置よりも
照明器具１全体の薄型化を図ることができる。
【先行技術文献】
【特許文献】
【００１１】
【特許文献１】特開２００６−８５９４３号公報
【特許文献２】特開平１０−２３３１８９号公報
【特許文献３】特開２００１−１１８４１９号公報
【特許文献４】特開２０００−１１７４４号公報
【発明の概要】
【発明が解決しようとする課題】
【００１２】
しかしながら、従来の照明器具１は、平面ランプ２の中心部Ｘに設定された最冷点Ｐ、
または放電路２１の一端部に設定された最冷点Ｑの温度上昇を抑制するために、例えば特
許文献３に記載される放熱部材を設けると、新たに部品点数が増えて更に薄型化の効果を
損ねる恐れがあった。また、照明器具１は、特許文献４に記載されるように最冷点Ｐ（又
は最冷点Ｑ）から点灯装置３を引き離そうとしても、引き離す程の空間が器具本体４内に
無く困難であった。つまり、上下方向から見たときの器具本体４の面積に対して点灯装置
３の面積が比較的大きく、特に図７に図示されるリング形状の点灯装置３は、器具本体４
の面積と略等しい程の大きさであるため、最冷点Ｐ（又は最冷点Ｑ）から引き離す程の空
間が器具本体４内に全く無かった。
【００１３】
本発明は上記事由に鑑みて為されたものであり、その目的は、薄型化を図りつつ、新た
に部品点数を増やさずに光束の減少を防ぐことができる照明器具を提供することにある。
【課題を解決するための手段】
【００１４】
請求項１の発明は、上記目的を達成するために、放電路の両端部に電極を有して当該放
電路が電極を有する両端部の間で同一の平面内にて湾曲して近接するように形成された平
面ランプを点灯させる点灯装置と、平面ランプを支持するとともに前記平面の法線方向に
沿って平面ランプの中心部と対向する位置に外部電源と接続された電源線が入線する挿通
口が貫設され、前記挿通口を除く平面ランプの投影面内で点灯装置を保持する器具本体と
、を備え、平面ランプの最冷点は、放電路の一端部近傍に設けられ、点灯装置を構成する
回路部品のうち、点灯装置から平面ランプに供給するランプ電流の増大に伴って発熱量が
増加する回路部品は、前記平面の法線方向から見たときに平面ランプの中心部を挟んで放
電路の前記一端部が配設される位置とは反対側に配置されることを特徴とする。
【００１５】
この発明によれば、平面ランプの最冷点は、放電路の一端部近傍に設けられ、点灯装置
から平面ランプに供給するランプ電流の増大に伴って発熱量が増加する回路部品は、前記
平面の法線方向から見たときに平面ランプの中心部を挟んで放電路の前記一端部が配設さ
れる位置とは反対側に配置されるので、たとえ最冷点から点灯装置を引き離す程の空間が
器具本体内に無くても、また新たに最冷点の温度上昇を抑えるための放熱部材を設けなく
ても、容易に最冷点の温度上昇を抑えることができる。従って、薄型化を図りつつ、新た
に部品点数を増やさずに光束の減少を防ぐことができる。
【００１６】
請求項２の発明は、請求項１の発明において、放電路の両端部に有する前記電極と点灯
装置の出力端子とを各々電気的に接続する一対のランプ線の長さ寸法は、互いに等しく設
定していることを特徴とする。
【００１７】
この発明によれば、一対のランプ線の長さ寸法は、互いに等しく設定しているので、一
対のランプ線に使用する電線が共通化できる。
【発明の効果】
【００１８】
本発明では、薄型化を図りつつ、新たに部品点数を増やさずに光束の減少を防ぐことが
できるという効果がある。
【図面の簡単な説明】
【００１９】
【図１】本発明の実施形態１の上面透視図である。
【図２】同上における点灯装置の回路構成図である。
【図３】図１におけるＡ−Ａ´線断面矢視図である。
【図４】本発明の実施形態１の上面透視図である。
【図５】本発明の実施形態２の上面透視図である。
【図６】従来の照明器具の一例の上面透視図である。
【図７】同上における上面透視図である。
【発明を実施するための形態】
【００２０】
（実施形態１）
以下、本発明の実施形態１について、図１〜図４を参照して説明する。尚、以下の説明
では、特に断りのない限り、図１において前後左右方向を規定して図１の正面を上面とし
て、従来技術の説明時と同様に紙面に垂直な方向を上下方向として説明を行う。また、図
３は、図１におけるＡ−Ａ´線断面矢視図である。そして、本実施形態の照明器具１の基
本的な構成は、従来技術で説明した照明器具１と共通であるので、共通の構成要素には同
一の符号を付して説明を省略する。
【００２１】
また、図１にはランプ線５ａ，５ｂが各々１本ずつ図示されているが、実際には２本の
ランプ線５ａ，５ａが絶縁体（シース）で被覆された２芯のケーブルと、２本のランプ線
５ｂ，５ｂが絶縁体で被覆された２芯のケーブルとが配線される。
【００２２】
照明器具１は、上述の通り、平面ランプ２を点灯させる点灯装置３と、平面ランプ２を
支持する器具本体４とを備える。ここで平面ランプ２は、図１に示すように、ガラス等の
透光性材料によって中空気密に形成されたバルブ２０を備えている。バルブ２０は、両端
部の内側に一対の電極（図示せず）を有する１本の長管が、その長手方向の中心部Ｘを中
心に螺旋状に湾曲して近接するように形成される。また、バルブ２０の両端部の外側には
口金２２ａ，２２ｂが配設され、内部の電極と導通するランプピン２３ａ，２３ｂが各々
突設される。口金２２ａ，２２ｂを器具本体４の図示しないソケットに各々接続すると、
ランプピン２３ａ，２３ｂとランプ線５ａ，５ｂとが各々導通する。そして、バルブ２０
の内部には、放電ガス（例えば、希ガスと水銀蒸気）が封入され、バルブ２０の内壁には
、蛍光体（図示せず）が塗布されている。従って、点灯装置３から供給される高周波電圧
がランプ線５ａ，５ｂを通じてバルブ２０内の前記電極に印加されることにより、バルブ
２０内を放電路２１として平面ランプ２が点灯する。
【００２３】
また、本実施形態の平面ランプ２には、口金２２ａ側の電極を保持するショートステム
（図示せず）と、口金２２ｂ側の電極を保持するロングステム（図示せず）とが配設され
る。すなわち、口金２２ｂ側の電極を前記ロングステムで保持させることで、前記ショー
トステムに保持される口金２２ａ側の電極よりもバルブ２０の長手方向に沿って中心部Ｘ
に近づけて配置させて、図１に示すように、口金２２ｂ近傍のバルブ２０の表面に最冷点
Ｑを設定している。尚、前記ロングステムや前記ショートステムを設けることにより最冷
点Ｑを口金２２ｂ近傍に設定することは、特許文献２に記載の通り周知の技術であるので
ここでの詳細な説明は省略する。
【００２４】
点灯装置３は、図２に示すように、入力端子３３と、出力端子３２ａ，３２ｂと、入力
回路部１０と、チョッパ回路部１１と、インバータ回路部１２と、制御部１３とから構成
される。ここで入力回路部１０は、ラインフィルタＬＦとコンデンサＣ１とダイオードブ
リッジＤＢとから構成されている。ラインフィルタＬＦは、２芯の電源ケーブル１４（電
源線）を通して商用電源ＡＣへ帰還する高周波ノイズをフィルタリングする。そして、電
源ケーブル１４を通じて商用電源ＡＣから入力端子３３へと供給される交流電圧（１００
Ｖ）は、ダイオードブリッジＤＢにて全波整流されてチョッパ回路部１１に出力される。
【００２５】
チョッパ回路部１１は、コンデンサＣ２、チョークコイルＬ１、ダイオードＤ１、スイ
ッチング素子Ｑ１、並びに平滑コンデンサＣ３から構成され、制御部１３によりスイッチ
ング素子Ｑ１をオン・オフ制御することで、入力回路部１０からの入力電圧を所望の直流
電圧に昇圧してインバータ回路部１２に出力する。インバータ回路部１２は、一対のスイ
ッチング素子Ｑ２，Ｑ３、コンデンサＣ４，Ｃ５、並びにチョークコイルＬ２から構成さ
れる。そして、制御部１３により一対のスイッチング素子Ｑ２，Ｑ３を交互に高周波でオ
ン・オフ制御することで、チョッパ回路部１１から入力される直流電圧が高周波交流電圧
に変換されて、出力端子３２ａ，３２ｂ及びランプ線５ａ，５ｂを介して平面ランプ２に
供給される。
【００２６】
そして、上述した各回路部を構成する回路部品は、図１及び図３に示すように、扁平な
略半リング状に形成されたプリント配線板３１に実装されている。また、出力端子３３ａ
，３３ｂは、図１に示すように、プリント配線板３１の右前方部に配設される。
【００２７】
器具本体４は、図３に示すように、全体として下面が開口する略扁平な有底円筒状に形
成された筐体４ａと、下面に平面ランプ２から放射する光を反射させる反射面を有して筐
体４ａの前記開口を塞ぐようにして配設される皿形状の反射体４ｂとから構成される。点
灯装置３のプリント配線板３１は、図１及び図３に示すように、上下方向に対する平面ラ
ンプ２の投影面内に収まるようにして筐体４ａと反射体４ｂとの間に配設される。但し、
プリント配線板３１は、前記投影面内でも挿通口６を除く位置に配設される。また、挿通
口６の上方にはシーリングキャップ（図示せず）が配設されており、前記シーリングキャ
ップに接続される電源ケーブル１４は、図２及び図３に示すように、挿通口６を通じて入
線されて点灯装置３の入力端子３３に接続される。そして、上述のような照明器具１は、
図３に示すように、例えば店舗・住宅等の天井面に設置される円板状のシーリングローゼ
ット７に前記シーリングキャップを接続することで機械的及び電気的に接続されて、商用
電源ＡＣから交流電圧（１００Ｖ）が点灯装置３に供給される。
【００２８】
以下、本実施形態の照明器具１の作用について説明する。上述した点灯装置３の各回路
部を構成する回路部品の中でも、例えばラインフィルタＬＦや、チョークコイルＬ１，Ｌ
２等は、点灯装置３から平面ランプ２に供給するランプ電流の増大に伴って発熱量が増加
する。これに対して、ラインフィルタＬＦや、チョークコイルＬ１，Ｌ２等の回路部品（
発熱部品１５）は、図１に示すように、上下方向から見たときに互いに近接し、平面ラン
プ２の中心部Ｘを挟んで口金２２ｂ近傍にある最冷点Ｑとは反対側に配置されるように、
プリント配線板３１に実装される。従って、たとえ最冷点Ｑから点灯装置３を引き離す程
の空間が器具本体４内に無くても、また新たに最冷点Ｑの温度上昇を抑えるための放熱部
材を設けなくても、容易に最冷点Ｑの温度上昇を抑えることができ、薄型化を図りつつ、
新たに部品点数を増やさずに光束の減少を防ぐことができる。
【００２９】
ところで、上述の点灯装置３のプリント配線板３１は、図１に示すように、扁平な略半
リング状に形成されたものであった。しかし、この限りではなく、上下方向から見たとき
にプリント配線板３１が器具本体４の挿通口６を除く平面ランプ２の投影面内に収まる程
度の形であれば他の形状であってもよい。例えば、図４に示すように、プリント配線板３
１がリング形状に形成されたものであっても、発熱部品１５が上下方向から見たときに互
いに近接し、平面ランプ２の中心部Ｘを挟んで口金２２ｂ近傍にある最冷点Ｑとは反対側
に配置されることにより同様の効果を奏することができる。
【００３０】
（実施形態２）
以下、本発明の実施形態２について、図５を参照して説明する。尚、本実施形態は、基
本的な構成が実施形態１と共通であるので、共通の構成要素には、同一の符号を付して説
明を省略する。
【００３１】
本実施形態の照明器具１は、上述した複数の発熱部品１５が互いに離れてプリント配線
板３１に実装される点に特徴がある。
【００３２】
複数の発熱部品１５は、実施形態１で述べた通り、上下方向から見たときに互いに近接
し、中心部Ｘを挟んで最冷点Ｑとは反対側に配置されるようにプリント配線板３１に実装
される。しかし、図５に示すように、複数の発熱部品１５（図中では１５ａ〜１５ｃの３
つのみ）が回路設計上やむを得ず互いに離れてプリント配線板３１に実装される場合もあ
る。この様な場合、先ず、上下方向から見たときに発熱部品１５ａ〜１５ｃの中から互い
に最も離れる２つの発熱部品１５ａ，１５ｃを選択する。次に、上下方向から見たときに
発熱部品１５ａ，１５ｃを通るように平面ランプ２の中心部Ｘから各々平面ランプ２の投
影面の周縁部へ向かって２本の境界線を引く。前記投影面のうちの２本の境界線によって
囲まれる領域、すなわち一点鎖線で囲まれて全ての発熱部品１５ａ〜１５ｃが存在する領
域を領域Ｒとする。
【００３３】
そして、前記投影面のうち領域Ｒを除いた領域を二等分するように中心部Ｘから前記投
影面の周縁部に向かって延びる中央線に対して、平面ランプ２の最冷点Ｑが上下方向から
見たときに合い重なるように、中心部Ｘを軸心に点灯装置３を回動させて調整する。この
ように点灯装置３を器具本体４内に配設させることで、たとえ発熱部品１５ａ〜１５ｃが
互いに離れてプリント配線板３１に実装されていても、容易に最冷点Ｑの温度上昇を抑え
ることができる。尚、本実施形態の図５に図示されるランプ線５ａ，５ｂの長さ寸法は、
図１や図４に図示されるランプ線５ａ，５ｂのものと異なり、互いに等しく設定している
。従って、一対のランプ線に使用する電線が共通化できる。
【符号の説明】
【００３４】
１  照明器具
２  平面ランプ
３  点灯装置
４  器具本体
６  挿通口
１５  発熱部品
２１  放電路
Ｑ  最冷点
Ｘ  中心部
【図１】
2011048943.tif 000003
【図２】
2011048943.tif 000004
【図３】
2011048943.tif 000005
【図４】
2011048943.tif 000006
【図５】
2011048943.tif 000007
【図６】
2011048943.tif 000008
【図７】
2011048943.tif 000009